(57)【要約】【課題】解像度のむらが低減された高品質な画像を取得可能とする固体撮像装置およびカメラモジュールを提供すること。【解決手段】実施形態によれば、固体撮像装置は、撮像素子１１を備える。撮像素子１１には画素が形成されている。画素は、行列状に配列されている。撮像素子１１は、受光面３０を備える。受光面３０には、画素へ進行する光が入射する。受光面３０は、第１領域である領域３１と、第２領域である領域３２を含む。第１領域は、受光面３０の中心位置Ｏを含む。第２領域は、第１領域と受光面３０の外縁との間にある。第１領域は、球面形状を備えている。第２領域は、非球面形状を備えている。【選択図】図４
2016197661.tif 000002
【特許請求の範囲】
【請求項１】
行列状に配列された画素が形成され、前記画素へ進行する光が入射する受光面を備える撮像素子を備え、
前記受光面は、前記受光面の中心位置を含む第１領域と、前記第１領域と前記受光面の外縁との間にある第２領域と、を含み、
前記第１領域は、球面形状を備え、
前記第２領域は、非球面形状を備えることを特徴とする固体撮像装置。
【請求項２】
前記非球面形状は、前記中心位置から離れる方向へ向かうにしたがって曲率を小さくさせた形状を含むことを特徴とする請求項１に記載の固体撮像装置。
【請求項３】
前記中心位置から、前記第１領域および前記第２領域の境界の位置までの長さは、前記中心位置から前記受光面の角部までの長さの６割に相当する長さであることを特徴とする請求項１または２に記載の固体撮像装置。
【請求項４】
前記第２領域のうち、前記第１領域および前記第２領域の境界である第１位置と前記受光面の角部との間の第２位置から前記角部までの部分は、前記角部に近くなるにしたがい曲率を小さくさせた形状をなし、
前記中心位置から前記第２位置までの長さは、前記中心位置から前記角部までの長さの８割に相当する長さであることを特徴とする請求項１から３のいずれか一項に記載の固体撮像装置。
【請求項５】
被写体からの光を取り込み、被写体像を結像させる撮像光学系と、
行列状に配列された画素が形成された撮像素子を備え、前記被写体像を撮像する固体撮像装置と、を備え、
前記撮像素子は、前記撮像光学系から前記画素へ進行する光が入射する受光面を備え、
前記受光面は、前記受光面の中心位置を含む第１領域と、前記第１領域と前記受光面の外縁との間にある第２領域と、を含み、
前記第１領域は、球面形状を備え、
前記第２領域は、非球面形状を備えることを特徴とするカメラモジュール。
【発明の詳細な説明】
【技術分野】
【０００１】
本実施形態は、固体撮像装置およびカメラモジュールに関する。
【背景技術】
【０００２】
従来、受光面を湾曲させたセンサ基板を備える固体撮像装置が知られている。固体撮像装置は、解像度のむらが低減された高品質な画像を得ることが求められている。
【先行技術文献】
【特許文献】
【０００３】
【特許文献１】特開２０１３−８５２１２号公報
【発明の概要】
【発明が解決しようとする課題】
【０００４】
一つの実施形態は、解像度のむらが低減された高品質な画像を取得可能とする固体撮像装置およびカメラモジュールを提供することを目的とする。
【課題を解決するための手段】
【０００５】
一つの実施形態によれば、固体撮像装置は、撮像素子を備える。撮像素子には画素が形成されている。画素は、行列状に配列されている。撮像素子は、受光面を備える。受光面には、画素へ進行する光が入射する。受光面は、第１領域および第２領域を含む。第１領域は、受光面の中心位置を含む。第２領域は、第１領域と受光面の外縁との間にある。第１領域は、球面形状を備えている。第２領域は、非球面形状を備えている。
【図面の簡単な説明】
【０００６】
【図１】図１は、実施形態の固体撮像装置を適用したカメラモジュールの構成を模式的に示す断面図である。
【図２】図２は、図１に示すカメラモジュールを備えるカメラシステムのブロック構成を示す図である。
【図３】図３は、実施形態の固体撮像装置のブロック構成を示す図である。
【図４】図４は、実施形態の固体撮像装置に備えられた撮像素子の断面構成を示す図である。
【図５】図５は、実施形態の第１比較例において撮像光学系から撮像素子へ入射する光線を示す図である。
【図６】図６は、実施形態において撮像光学系から撮像素子へ入射する光線を示す図である。
【図７】図７は、実施形態と第１比較例とでデフォーカスをシミュレーションした例を示す図である。
【図８】図８は、実施形態と第１比較例とでディストーションをシミュレーションした例を示す図である。
【図９】図９は、図４に示す撮像素子の第１領域および第２領域の形状を説明する図である。
【図１０】図１０は、実施形態の第２比較例における像高とコントラストとの関係をシミュレーションした例を示す図である。
【図１１】図１１は、実施形態における像高とコントラストとの関係をシミュレーションした例を示す図である。
【発明を実施するための形態】
【０００７】
以下に添付図面を参照して、実施形態にかかる固体撮像装置およびカメラモジュールを詳細に説明する。なお、この実施形態により本発明が限定されるものではない。
【０００８】
（実施形態）
図１は、実施形態の固体撮像装置を適用したカメラモジュールの構成を模式的に示す断面図である。図２は、図１に示すカメラモジュールを備えるカメラシステムのブロック構成を示す図である。図３は、実施形態の固体撮像装置のブロック構成を示す図である。
【０００９】
図２に示すカメラシステム１は、カメラモジュール２を備える電子機器である。カメラシステム１は、例えばカメラ付き携帯端末である。カメラシステム１は、デジタルカメラ等の電子機器であっても良い。
【００１０】
カメラシステム１は、カメラモジュール２および後段処理部３を備える。カメラモジュール２は、撮像光学系４および固体撮像装置５を備える。後段処理部３は、イメージシグナルプロセッサ（ＩＳＰ）６、記憶部７および表示部８を備える。
【００１１】
撮像光学系４は、被写体からの光を取り込む。撮像光学系４は、被写体像を結像させるレンズを備える。固体撮像装置５は、被写体像を撮像する。ＩＳＰ６は、固体撮像装置５での撮像により得られた画像信号の信号処理を実施する。記憶部７は、ＩＳＰ６での信号処理を経た画像を格納する。記憶部７は、ユーザの操作等に応じて、表示部８へ画像信号を出力する。
【００１２】
表示部８は、ＩＳＰ６あるいは記憶部７から入力される画像信号に応じて、画像を表示する。表示部８は、例えば、液晶ディスプレイである。カメラシステム１は、ＩＳＰ６での信号処理を経たデータに基づき、カメラモジュール２のフィードバック制御を実施する。
【００１３】
図３に示す固体撮像装置５は、撮像素子１１、制御回路１２、行走査回路１３、列走査回路１４、カラム処理回路１５および信号処理回路１６を備える。制御回路１２、行走査回路１３、列走査回路１４、カラム処理回路１５および信号処理回路１６は、固体撮像装置５の回路部を構成する。
【００１４】
撮像素子１１は、ＣＭＯＳイメージセンサである。撮像素子１１は、行列状に配列された画素と、画素が実装された基板とを備える。各画素は、光電変換素子であるフォトダイオードを備える。光電変換素子は、入射光量に応じた信号電荷を生成する。画素は、入射光量に応じて生成された信号電荷を蓄積する。
【００１５】
固体撮像装置５の駆動のための各種データおよびクロック信号は、固体撮像装置５の外部から制御回路１２へ供給される。制御回路１２は、クロック信号に応じて、回路部の駆動を制御するための各種パルス信号を生成する。制御回路１２は、駆動タイミングを指示するパルス信号を、行走査回路１３、列走査回路１４、カラム処理回路１５および信号処理回路１６のそれぞれに供給する。
【００１６】
行走査回路１３は、シフトレジスタおよびアドレスデコーダ等を備える。画素駆動回路である行走査回路１３は、撮像素子１１の画素へ駆動信号を供給する。制御回路１２は、垂直同期信号に応じたパルス信号を、行走査回路１３へ供給する。行走査回路１３は、画素信号が読み出される画素行を、制御回路１２からのパルス信号に応じて順次選択する。行走査回路１３は、選択された画素行において画素ごとに順次読み出し信号を供給することによる読み出し走査を行う。読み出し信号は、入射光量に応じて生成された画素信号を画素から読み出すための駆動信号である。
【００１７】
行走査回路１３は、画素ごとへの読み出し信号の供給に先行して、各画素へのリセット信号の供給による掃き出し走査を行う。リセット信号は、光電変換素子に残存されている電荷を排出させるための駆動信号である。各画素は、リセット信号が供給されたときから読み出し信号が供給されるまでの間、入射光量に応じて生成された信号電荷を蓄積する。
【００１８】
駆動信号は、行走査回路１３から各画素へ、画素駆動線１８を通じて伝送される。画素駆動線１８は、撮像素子１１の画素行ごとに設けられている。画素行は、行方向へ配列された画素からなる。
【００１９】
画素信号は、各画素からカラム処理回路１５へ、垂直信号線１９を通じて伝送される。垂直信号線１９は、撮像素子１１の画素列ごとに設けられている。画素列は、列方向へ配列された画素からなる。
【００２０】
カラム処理回路１５は、垂直信号線１９を伝送した画素信号を、画素列ごとに設けられた単位回路（図示省略）にて処理する。カラム処理回路１５は、画素信号へ、固定パターンノイズの低減のための相関二重サンプリング処理（ＣＤＳ）を施す。カラム処理回路１５は、画素信号へ、アナログ方式の信号からデジタル方式の信号への変換であるＡＤ変換を施す。カラム処理回路１５は、ＣＤＳおよびＡＤ変換以外の処理を実施しても良い。カラム処理回路１５は、ＣＤＳおよびＡＤ変換を経た画素信号を、単位回路ごとに保持する。
【００２１】
列走査回路１４は、シフトレジスタおよびアドレスデコーダ等を備える。制御回路１２は、水平同期信号に応じたパルス信号を、列走査回路１４へ供給する。列走査回路１４は、画素信号を読み出す画素列を、制御回路１２からのパルス信号に応じて順次選択する。カラム処理回路１５は、列走査回路１４による選択走査に応じて、各単位回路に保持されている画素信号を順次出力する。
【００２２】
信号処理回路１６は、カラム処理回路１５からの画素信号を成分とする画像信号に対し、各種の信号処理を実施する。信号処理回路１６は、キズ補正、ガンマ補正、ノイズ低減処理、レンズシェーディング補正、ホワイトバランス調整、歪曲補正、解像度復元等の信号処理を実施する。固体撮像装置５は、信号処理回路１６での信号処理を経た画像信号を出力する。
【００２３】
カメラシステム１は、本実施形態において信号処理回路１６が実施するものとした信号処理の少なくともいずれかを、後段処理部３のＩＳＰ６が実施することとしても良い。カメラシステム１は、信号処理の少なくともいずれかを、信号処理回路１６及びＩＳＰ６の双方が実施しても良い。信号処理回路１６及びＩＳＰ６は、本実施形態で説明する信号処理以外の信号処理を実施することとしても良い。
【００２４】
図１に示す固体撮像装置５は、撮像素子１１、実装基板２１、支持部材２２およびワイヤ２６を含む。固体撮像装置５は、カメラモジュール２の筐体２３内に収納されている。撮像素子１１の上面は、画素へ進行する光が入射する受光面を構成する。撮像素子１１は、受光面を凹面とする湾曲形状をなしている。
【００２５】
実装基板２１は、筐体２３内部の底面に設けられている。実装基板２１は、平板形状をなしている。実装基板２１には、回路部が実装されている。回路部は、図３に示す制御回路１２、行走査回路１３、列走査回路１４、カラム処理回路１５および信号処理回路１６を含む。支持部材２２は、実装基板２１上にて撮像素子１１を支持する。ワイヤ２６は、撮像素子１１と、実装基板２１の回路部とを接続する。
【００２６】
筐体２３は、上部に開口が形成された容器を構成している。レンズホルダ２４は、筐体２３の開口において撮像光学系４を支持する。ＩＲカットフィルタ２５は、撮像光学系４と撮像素子１１との間の光路に設けられている。ＩＲカットフィルタ２５は、撮像光学系４からの光のうち、赤外光を遮蔽し、可視光を透過させる。撮像素子１１の受光面のうち、撮像光学系４の光軸２７と交差する位置を、受光面の中心位置とする。
【００２７】
撮像素子１１は、画素が形成された平板状の基板を湾曲形状へ変形させることにより形成される。基板のうち受光面の裏側の面には、切込みを形成しても良い。これにより、受光面が窪むように基板を容易に湾曲させることができるとともに、基板の割れを低減できる。支持部材２２は、撮像素子１１の湾曲形状に合わせて形成された曲面を備える。支持部材２２の曲面に撮像素子１１が固定されることで、湾曲形状とされた撮像素子１１の変形を低減できる。
【００２８】
支持部材２２は、実装基板２１上にて撮像素子１１を支持可能ないずれの部材であっても良く、撮像素子１１が固定される曲面を備えるものに限られない。支持部材２２は、撮像素子１１を支持可能に配置された複数の柱状部材であっても良い。固体撮像装置５は、支持部材２２を設けず、実装基板２１上に撮像素子１１が配置されたものであっても良い。実装基板２１の上面には、湾曲形状の撮像素子１１を支持するための構造を備えていても良い。実装基板２１は、撮像素子１１の裏面に当接可能な複数の段差を備えていても良い。
【００２９】
撮像素子１１は、一定の厚みで形成されたものであるほか、位置ごとに異なる厚みを持たせて形成されたものであっても良い。撮像素子１１は、受光面の中心位置から端部へ向かうにしたがい厚みが増すように形成されたものであっても良い。撮像素子１１は、このように厚みを異ならせることで、凹面である受光面が形成されたものであっても良い。
【００３０】
図４は、実施形態の固体撮像装置に備えられた撮像素子の断面構成を示す図である。受光面３０は、矩形の平面形状を湾曲させた形状を備えている。角部３３は、受光面３０のうち、かかる矩形の角に相当する部分とする。図４は、２つの角部３３と中心位置Ｏとを結ぶ直線で撮像素子１１を切断した場合における切断面を示している。
【００３１】
撮像素子１１の受光面３０は、領域３１，３２を含む。領域３１は、受光面３０の中心位置Ｏを含む第１領域である。領域３２は、領域３１と、受光面３０のうち角部３３を含む外縁との間にある第２領域である。受光面３０のうち領域３１は、一定の曲率を持つ球面形状を備えている。領域３１は、光軸２７上の所定の位置Ｏ’を中心とする半径ｒの球面をなしている。領域３１上のいずれの位置も、位置Ｏ’との間の距離が半径ｒに等しい。受光面３０は、領域３１の部分において、実装基板２１側である下側を凸とする球面形状を備える。
【００３２】
受光面３０のうち領域３２は、非球面形状を備えている。領域３２上における位置ごとに、位置Ｏ’との間の距離が変化する。受光面３０は、領域３２の部分において、撮像光学系４側である上側を凸とする曲面形状を備える。なお、非球面形状とされた領域３２は、受光面３０のうち角部３３付近に設けられている場合に限られず、角部３３付近を含め、矩形の各辺に相当する外縁付近の部分である端部の全体に設けられている場合を含む。
【００３３】
次に、撮像素子１１の形状と、固体撮像装置５で撮像される被写体像との関係について説明する。図５は、実施形態の第１比較例において撮像光学系から撮像素子へ入射する光線を示す図である。図６は、実施形態において撮像光学系から撮像素子へ入射する光線を示す図である。
【００３４】
図５に示す第１比較例は、水平面３４へ撮像光学系４からの光を入射させる場合について示している。水平面３４は、撮像光学系４の光軸２７に対して垂直な平面とする。撮像光学系４は、光軸２７に対して斜め方向から入射した光が水平面３４よりも撮像光学系４側の位置にて結像するいわゆる像面収差を生じさせることがある。像面収差により、結像面は、光軸２７を中心として撮像光学系４側へ湾曲することになる。
【００３５】
図６は、球面３５へ撮像光学系４からの光を入射させる場合について示している。球面３５の曲率中心は、撮像光学系４の焦点と一致している。実施形態の撮像素子１１において、受光面３０のうちの領域３１は、かかる球面３５の形状をなしている。球面３５の曲率中心と撮像光学系４の焦点とが一致することで、撮像光学系４の焦点から各画素までの距離が一定とされている。像面収差による結像面の湾曲に応じて球面形状の曲率を設定することで、撮像素子１１の受光面３０と結像位置とのずれを抑制可能とする。なお、領域３１が備える球面形状の曲率中心は、撮像光学系４の焦点以外の位置であっても良い。
【００３６】
図７は、実施形態と第１比較例とでデフォーカスをシミュレーションした例を示す図である。デフォーカスは、受光面３０と撮像光学系４の結像面との光軸方向におけるずれ量とする。図７のうち右側に示すグラフは、図４に示す受光面３０を球面３５とした実施形態の場合を示し、左側に示すグラフは、受光面３０を水平面３４に置き換えた第１比較例の場合を示している。グラフの横軸はデフォーカス、縦軸は像高を表している。像高は、受光面３０の中心位置Ｏからの距離とする。縦軸の一方の端である原点０は受光面３０の中心位置Ｏ、他方の端は受光面３０の角部３３の位置を表している。複数の曲線は、所定の波長ごとにデフォーカスをシミュレーションした結果を示している。
【００３７】
水平面３４である受光面３０において、デフォーカスは、受光面３０の中心位置Ｏと角部３３との中間部と、角部３３とで増加している。これに対し、受光面３０を球面３５とすることで、デフォーカスは、受光面３０のうち角部３３付近以外において大幅に低減されている。固体撮像装置５は、受光面３０の第１領域である領域３１を球面形状とすることで、デフォーカスを低減できる。
【００３８】
図８は、実施形態と第１比較例とでディストーションをシミュレーションした例を示す図である。ディストーションは、受光面の二次元方向における結像位置のずれによる画像の歪みを表す。図８のうち右側に示すグラフは受光面３０を球面３５とした実施形態の場合を示し、左側に示すグラフは受光面３０を水平面３４とした第１比較例の場合を示している。グラフの横軸はディストーションの量、縦軸は像高を表している。複数の曲線は、所定の波長ごとにディストーションをシミュレーションした結果を示している。実施形態の場合のグラフでは、波長ごとのシミュレーション結果が一致している。
【００３９】
受光面３０を水平面３４とする場合、ディストーションの増加量は、像高の増大に伴って大きくなる。これに対し、受光面３０を球面３５とすることで、像高の増大に伴うディストーションの増大が抑制される。固体撮像装置５は、受光面３０の領域３１を球面形状とすることで、ディストーションを低減できる。
【００４０】
カメラモジュール２は、撮像素子１１に領域３１を設けることで、撮像光学系４の設計による収差の補正量を低減可能とする。これにより、カメラモジュール２は、撮像光学系４のレンズ枚数の低減、レンズの小型化、レンズの設計の簡易化が可能となる。撮像光学系４についてのこれらの効果により、カメラモジュール２の小型化と、カメラモジュール２の製造コスト低減とが可能となる。
【００４１】
次に、撮像素子１１の第１領域および第２領域の形状について説明する。図９は、図４に示す撮像素子の第１領域および第２領域の形状を説明する図である。図９に示すグラフの横軸は像高、縦軸は光軸方向における受光面３０の位置を表している。原点０は、中心位置Ｏとする。光軸方向における位置は、中心位置Ｏを基準として表している。横軸のうち原点０以外の一端は、受光面３０の角部３３の位置を表している。
【００４２】
図９において、曲線Ｃ１は、実施形態の受光面３０の領域３１および３２の形状を示すグラフである。曲線Ｃ０は、受光面３０の全体を領域３１と同じ曲率とした場合の形状を示すグラフである。曲線Ｃ２は、曲線Ｃ０と曲線Ｃ１の差分を示すグラフである。
【００４３】
曲線Ｃ１で示す実施形態の受光面３０は、像高０からｙ１までの部分を球面形状の領域３１、像高ｙ１から受光面３０の外縁までの部分を非球面形状の領域３２とする。
【００４４】
像高ｙ１の位置である第１位置は、領域３１と領域３２の境界であって、受光面３０の曲面形状の変曲点である。領域３２は、像高ｙ１から角部３３へ向かうにしたがって曲率を小さくさせた形状を含む。像高ｙ１からｙ２の間では、曲線Ｃ１は、曲線Ｃ０とほぼ同じとなる。領域３２のうち像高ｙ１からｙ２の部分は、曲率一定の場合に近い形状をなしている。
【００４５】
一方、曲線Ｃ１のカーブは像高ｙ２から角部３３へ向かうにしたがって緩やかになり、曲線Ｃ０から下側へ乖離していく。像高ｙ２より角部３３側の部分において、受光面３０の傾きは、角部３３に近くなるほど、水平面に近くなっている。撮像素子１１は、像高ｙ２より外側の裾部において湾曲が緩やかにされた形状をなしている。領域３２のうち、像高ｙ２の位置である第２位置から角部３３までの部分は、角部３３に近くなるにしたがい、曲率を小さくさせた形状をなしている。
【００４６】
受光面３０の中心位置Ｏから角部３３までの長さを１００％とした場合に、本実施形態における像高ｙ１は、中心位置Ｏから６０％の長さだけ離れた位置とする。中心位置Ｏから第１位置までの長さは、中心位置Ｏから角部３３までの長さの６割に相当する長さである。像高ｙ２は、中心位置Ｏから８０％の長さだけ離れた位置とする。中心位置Ｏから第２位置までの長さは、中心位置Ｏから角部３３までの長さの８割に相当する長さである。
【００４７】
撮像素子１１の形状は、実施形態で説明する形状である場合に限られず、適宜変更しても良い。領域３１と領域３２の境界とする第１位置と、領域３２においてカーブを変化させる第２位置とは、それぞれ実施形態で例示する位置である場合に限られず、適宜変更しても良い。
【００４８】
図１０は、実施形態の第２比較例における像高とコントラストとの関係をシミュレーションした例を示す図である。図１１は、実施形態における像高とコントラストとの関係をシミュレーションした例を示す図である。図１１は、受光面３０の領域３１および３２の形状が図９の曲線Ｃ１に示す形状である場合におけるシミュレーションであるものとする。
【００４９】
図１０および図１１に示すグラフは、ＭＴＦ（Modulation  Transfer  Function）特性を表す。変調伝達関数であるＭＴＦは、被写体が持つコントラストが像面にてどの程度再現されているかを、空間周波数特性として表した関数である。グラフは、空間周波数を固定とした場合における像高とＭＴＦの関係を示したものである。グラフの横軸は像高を表し、縦軸はコントラストを表すＭＴＦの値を示す。横軸のうち原点０以外の一端は、受光面３０の角部３３の位置を表している。
【００５０】
図１０および図１１において、実線で示す曲線は、サジタル（Sagittal）方向におけるＭＴＦ特性を示す。サジタル方向は、中心位置Ｏからの放射方向である。破線で示す曲線は、タンジェンシャル（Tangential）方向におけるＭＴＦ特性を示す。タンジェンシャル方向は、中心位置Ｏを中心とする同心円方向である。
【００５１】
図１０には、３つの空間周波数について、サジタル方向およびタンジェンシャル方向におけるＭＴＦ特性を示している。６つのグラフのうち、像高０におけるコントラストが最も高く示された実線および破線の両グラフは、ナイキスト（Nyquist）周波数の１／４倍の空間周波数（１／４Nyquist）におけるＭＴＦ特性を示している。
【００５２】
像高０におけるコントラストが１／４Nyquistに次いで高く示された実線および破線の両グラフは、Nyquist周波数の１／２倍の空間周波数（１／２Nyquist）におけるＭＴＦ特性を示している。像高０におけるコントラストが最も低く示された実線および破線の各グラフは、Nyquist周波数に等しい空間周波数におけるＭＴＦ特性を示している。
【００５３】
図１１も、図１０と同様に３つの周波数について、サジタル方向およびタンジェンシャル方向におけるＭＴＦ特性を示している。図１１に示す６つのグラフも、図１０の場合と同様に、コントラストが高いほうから、空間周波数が１／４Nyquistであるとき、１／２Nyquistであるとき、Nyquist周波数に等しいときのＭＴＦ特性をそれぞれ表すものとする。
【００５４】
図１０に示す第２比較例は、受光面３０をいずれも曲率一定の球面とする場合のＭＴＦ特性を示している。第２比較例と、図１１に示す実施形態とのいずれにおいても、各空間周波数についてのコントラストは、像高が０から大きくなるにしたがい全般に低下する傾向がある。
【００５５】
図１０および図１１のそれぞれにて、両矢印で示す像高の範囲は、受光面３０のうち角部３３に近い部分を示している。かかる像高の範囲は、例えば像高８０％から１００％の範囲とする。かかる像高の範囲について、図１０に示す各グラフと図１１に示す各グラフとを比較すると、図１１に示す場合のほうがコントラストの低下が軽減されている。固体撮像装置５は、受光面３０に領域３２を設けることで、受光面３０の全体を球面形状とする場合に比べて、中心位置Ｏから離れた部分におけるコントラストを向上させることができる。固体撮像装置５は、画像の中心のみならず、中心から離れた位置においても、高い解像度を備える画像を得ることができる。
【００５６】
カメラモジュール２は、撮像素子１１に領域３２を設けることで、撮像光学系４の設計による収差の補正量を低減可能とする。これにより、カメラモジュール２は、撮像光学系４のレンズ枚数の低減、レンズの小型化、レンズの設計の簡易化が可能となる。撮像光学系４についてのこれらの効果により、カメラモジュール２の小型化と、カメラモジュール２の製造コスト低減とが可能となる。
【００５７】
カメラモジュール２は、受光面３０に領域３２を設けることで、受光面３０の全体を球面形状とする場合に比べて、光軸方向において中心位置Ｏにより近い位置にレンズホルダ２４を設置することが可能となる。カメラモジュール２は、レンズホルダ２４における撮像光学系４のマウント面から中心位置Ｏまでのフランジバックの長さを短くすることができる。これにより、カメラモジュール２は、光軸方向におけるサイズを低減できる。また、固体撮像装置５は、撮像素子１１と撮像光学系４との間の距離を短くできることによっても、ＭＴＦ特性を改善する効果を得られる。
【００５８】
撮像素子１１は、領域３２の部分に、ワイヤ２６が接続される端子を設けても良い。上述するように、撮像素子１１に湾曲が緩やかにされた裾部を設けておくことで、撮像素子１１を曲率一定の湾曲形状とする場合に比べて、撮像素子１１へワイヤ２６を接続する際のボンディングを容易に行うことが可能となる。
【００５９】
実施形態によれば、固体撮像装置５は、球面形状の領域３１を受光面３０に備えることで、良好な光学特性を容易に得ることができる。固体撮像装置５は、非球面形状の領域３２を受光面３０に備えることで、受光面３０の中心位置Ｏから離れた位置におけるコントラストを向上できる。固体撮像装置５は、画像の中心のみならず、中心から離れた位置においても高い解像度を備える画像を得ることができる。これにより、固体撮像装置５は、解像度のむらが低減された高品質な画像を得ることができるという効果を奏する。
【００６０】
カメラモジュール２は、撮像素子１１に領域３１および３２を設けることで、撮像光学系４のレンズ枚数の低減、レンズの小型化、レンズの設計の簡易化が可能となる。これにより、カメラモジュール２は、小型化および製造コストの低減が可能となる。
【００６１】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００６２】
２  カメラモジュール、４  撮像光学系、５  固体撮像装置、１１  撮像素子、３０  受光面、３１，３２  領域、３３  角部、Ｏ  中心位置。
【図１】
2016197661.tif 000003
【図２】
2016197661.tif 000004
【図３】
2016197661.tif 000005
【図４】
2016197661.tif 000006
【図５】
2016197661.tif 000007
【図６】
2016197661.tif 000008
【図７】
2016197661.tif 000009
【図８】
2016197661.tif 000010
【図９】
2016197661.tif 000011
【図１０】
2016197661.tif 000012
【図１１】
2016197661.tif 000013